(57)【要約】      （修正有）【課題】シロアリを効率よく誘引するシロアリ誘引装置、シロアリを効率よく誘殺するシロアリ誘殺装置を提供する。【解決手段】シロアリ誘引装置１は、セルロース成分を含有する立体構造体１ｂと、該立体構造体１ｂの表面の少なくとも一部と間隙１ｄ，１ｅを有して設置可能なカバー物質１ｃからなり、該立体構造体１ｂに対し、立体構造体１ｂの表面の少なくとも一部と間隙１ｄ，１ｅを有してカバー物質１ｃを設置してなるシロアリ誘引装置１であって、該間隙１ｄ，１ｅの少なくとも一部が、１〜３ｍｍの大きさを有することを特徴とする。セルロース成分および遅効性シロアリ駆除成分を含有する立体構造体１ｂと、該立体構造体１ｂの表面の少なくとも一部と間隙１ｄ，１ｅを有して設置可能なカバー物質１ｃからなるシロアリ誘殺装置１０であって、該間隙１ｄ，１ｅの少なくとも一部が、１〜３ｍｍの大きさを有することを特徴とする。【選択図】図１
2019092401.tif 000002
【特許請求の範囲】
【請求項１】
セルロース成分を含有する立体構造体と、該立体構造体の表面の少なくとも一部と間隙を有して設置可能なカバー物質とからなるシロアリ誘引キットであって、該間隙の少なくとも一部が、１〜３ｍｍの大きさを有することを特徴とするシロアリ誘引キット。
【請求項２】
前記セルロース成分が、木材、紙、セルロース粉末、および木粉からなる群より選ばれる一以上の成分であることを特徴とする、請求項１に記載のシロアリ誘引キット。
【請求項３】
前記カバー物質が、不織布、紙およびプラスチックからなる群より選ばれる一以上の材であることを特徴とする、請求項１または２に記載のシロアリ誘引キット。
【請求項４】
前記カバー物質が、撥水処理加工されていることを特徴とする請求項１〜３のいずれかに記載のシロアリ誘引キット。
【請求項５】
請求項１〜４のいずれかに記載のセルロース成分を含有する立体構造体とカバー物質からなり、該立体構造体に対して、立体構造体の表面の少なくとも一部と間隙を有してカバー物質を設置してなるシロアリ誘引装置であって、該間隙の少なくとも一部が、１〜３ｍｍの大きさを有することを特徴とするシロアリ誘引装置。
【請求項６】
請求項５に記載のシロアリ誘引装置をシロアリ棲息地域に設置してなるシロアリ誘引方法。
【請求項７】
セルロース成分および遅効性シロアリ駆除成分を含有する立体構造体と、該立体構造体の表面の少なくとも一部と間隙を有して設置可能なカバー物質とからなるシロアリ誘殺キットであって、該間隙の少なくとも一部が、１〜３ｍｍの大きさを有することを特徴とするシロアリ誘殺キット。
【請求項８】
前記セルロース成分が、木材、紙、セルロース粉末および木粉からなる群より選ばれる一以上の成分であることを特徴とする、請求項７に記載のシロアリ誘殺キット。
【請求項９】
前記カバー物質が、不織布、紙およびプラスチックからなる群より選ばれる一以上の材であることを特徴とする、請求項７または８に記載のシロアリ誘殺キット。
【請求項１０】
前記カバー物質が、撥水処理加工されていることを特徴とする請求項７〜９のいずれかに記載のシロアリ誘殺キット。
【請求項１１】
前記遅効性シロアリ駆除成分が、幼若ホルモン様活性成分、表皮硬化性活性成分およびキチン合成阻害性活性成分からなる群より選ばれる一以上の成分であることを特徴とする、請求項７〜１０のいずれかに記載のシロアリ誘殺キット。
【請求項１２】
請求項７〜１１のいずれかに記載のセルロース成分および遅効性シロアリ駆除成分を含有する立体構造体とカバー物質からなり、該立体構造体に対して、立体構造体の表面の少なくとも一部と間隙を有してカバー物質を設置してなるシロアリ誘殺装置であって、該間隙の少なくとも一部が、１〜３ｍｍの大きさを有することを特徴とするシロアリ誘殺装置。
【請求項１３】
請求項１２に記載のシロアリ誘殺装置をシロアリ棲息地域に設置してなるシロアリ駆除方法。
【発明の詳細な説明】
【技術分野】
【０００１】
本発明はシロアリ誘引キット・誘引装置、およびこれらを用いたシロアリ誘引方法、ならびに誘殺キット・誘殺装置、ならびにこれらを用いたシロアリ誘殺方法に関する。
【背景技術】
【０００２】
シロアリは木材や紙などセルロース成分を食物として好むことから、木造建造物、木製家具・調度品、紙製美術品等の食害被害が多数報告されている。このため、シロアリの効率的な駆除策や予防策の構築が必要とされている。
そこで従前から、誘引装置を用いて効率よくシロアリを誘引した後に駆除用の薬剤でシロアリを駆除するシロアリ誘引装置や、シロアリを検知と駆除を目的としたシロアリ誘殺装置を用いて、食害被害を未然に防ぐための予防策がとられている。（特許文献１、特許文献２）
【先行技術文献】
【特許文献】
【０００３】
【特許文献１】特開平９−３１３０８４
【特許文献２】特開２００４−１１３１０３
【０００４】
【発明の概要】
【発明が解決しようとする課題】
【０００５】
しかしながら、特許文献１記載のシロアリ誘引装置は、排水管と連結する必要があり、設置場所が限定されるなどの問題があった。
【０００６】
特許文献２記載のシロアリ検知装置は、捕獲したシロアリの観察が容易にでき、また、一度に多くのシロアリを誘引することが可能であるが、容器に穴を開けるといった加工が必要であるため、より簡便にシロアリを誘引することができる装置の開発が望まれていた。
【課題を解決するための手段】
【０００７】
本発明者らは上記課題を解決するために鋭意研究を行った結果、セルロース成分を含有する立体構造体と、該立体構造体の表面の少なくとも一部と間隙を有して設置可能なカバー物質からなり、該立体構造体に対し、立体構造体の表面の少なくとも一部と間隙を有してカバー物質を設置してなるシロアリ誘引装置であって、該間隙の少なくとも一部が、１〜３ｍｍの大きさを有することを特徴とするシロアリ誘引装置をシロアリ棲息地域に設置することでシロアリを効率よく誘引することを見出した。
また、セルロース成分および遅効性シロアリ駆除成分を含有する立体構造体と、該立体構造体の表面の少なくとも一部と間隙を有して設置可能なカバー物質からなり、該立体構造体に対し、立体構造体の表面の少なくとも一部と間隙を有してカバー物質設置してなるシロアリ誘殺装置であって、該間隙の少なくとも一部が、１〜３ｍｍの大きさを有することを特徴とするシロアリ誘殺装置をシロアリ棲息地域に設置することでシロアリを効率よく誘殺することを見出した。
【０００８】
本発明の構成は、以下のとおりである。
〔１〕セルロース成分を含有する立体構造体と、該立体構造体の表面の少なくとも一部と間隙を有して設置可能なカバー物質とからなるシロアリ誘引キットであって、該間隙の少なくとも一部が、１〜３ｍｍの大きさを有することを特徴とするシロアリ誘引キット。
〔２〕前記セルロース成分が、木材、紙、セルロース粉末、および木粉からなる群より選ばれる一以上の成分であることを特徴とする、〔１〕に記載のシロアリ誘引キット。
〔３〕前記カバー物質が、不織布、紙およびプラスチックからなる群より選ばれる一以上の材であることを特徴とする、〔１〕または〔２〕に記載のシロアリ誘引キット。
〔４〕前記カバー物質が、撥水処理加工されていることを特徴とする〔１〕〜〔３〕のいずれかに記載のシロアリ誘引キット。
〔５〕〔１〕〜〔４〕のいずれかに記載のセルロース成分を含有する立体構造体とカバー物質からなり、該立体構造体に対して、立体構造体の表面の少なくとも一部と間隙を有してカバー物質を設置してなるシロアリ誘引装置であって、該間隙の少なくとも一部が、１〜３ｍｍの大きさを有することを特徴とするシロアリ誘引装置。
〔６〕〔５〕に記載のシロアリ誘引装置をシロアリ棲息地域に設置してなるシロアリ誘引方法。
〔７〕セルロース成分および遅効性シロアリ駆除成分を含有する立体構造体と、該立体構造体の表面の少なくとも一部と間隙を有して設置可能なカバー物質とからなるシロアリ誘殺キットであって、該間隙の少なくとも一部が、１〜３ｍｍの大きさを有することを特徴とするシロアリ誘殺キット。
〔８〕前記セルロース成分が、木材、紙、セルロース粉末および木粉からなる群より選ばれる一以上の成分であることを特徴とする、〔７〕に記載のシロアリ誘殺キット。
〔９〕前記カバー物質が、不織布、紙およびプラスチックからなる群より選ばれる一以上の材であることを特徴とする、〔７〕または〔８〕に記載のシロアリ誘殺キット。
〔１０〕前記カバー物質が、撥水処理加工されていることを特徴とする〔７〕〜〔９〕のいずれかに記載のシロアリ誘殺キット。
〔１１〕前記遅効性シロアリ駆除成分が、幼若ホルモン様活性成分、表皮硬化性活性成分およびキチン合成阻害性活性成分からなる群より選ばれる一以上の成分であることを特徴とする、〔７〕〜〔１０〕のいずれかに記載のシロアリ誘殺キット。
〔１２〕〔７〕〜〔１１〕のいずれかに記載のセルロース成分および遅効性シロアリ駆除成分を含有する立体構造体とカバー物質からなり、該立体構造体に対して、立体構造体の表面の少なくとも一部と間隙を有してカバー物質を設置してなるシロアリ誘殺装置であって、該間隙の少なくとも一部が、１〜３ｍｍの大きさを有することを特徴とするシロアリ誘殺装置。
〔１３〕〔１２〕に記載のシロアリ誘殺装置をシロアリ棲息地域に設置してなるシロアリ駆除方法。
【発明の効果】
【０００９】
本発明のシロアリ誘引装置を用いれば、シロアリを効率よく誘引することができる。また、本発明のシロアリ誘殺装置を用いれば、シロアリを効率よく誘殺することができる。
【図面の簡単な説明】
【００１０】
【図１】シロアリ誘引キット・誘引装置およびシロアリ誘殺キット・誘殺装置の一例を示す図である。
【図２】シロアリ誘引キット・誘引装置およびシロアリ誘殺キット・誘殺装置の一例を示す図である。
【図３】シロアリ誘引キット・誘引装置およびシロアリ誘殺キット・誘殺装置の一例を示す図である。
【図４】シロアリ誘引装置の効果を確認する模型の一例を示す図である。
【発明を実施するための形態】
【００１１】
以下、本発明に関わるシロアリ誘引キット・誘引装置、およびこれらを用いたシロアリ誘引方法、ならびに誘殺キット・誘殺装置、ならびにこれらを用いたシロアリ誘殺方法について説明する。
【００１２】
本発明のシロアリ誘引キットとは、セルロース成分を含有する立体構造体と、該立体構造体の表面の少なくとも一部と間隙を有して設置可能なカバー物質とからなるシロアリ誘引キットであって、該間隙の少なくとも一部が、１〜３ｍｍの大きさを有することを特徴とするシロアリ誘引キットのことである。
【００１３】
本発明のシロアリ誘引装置とは、セルロース成分を含有する立体構造体とカバー物質からなり、該立体構造体に対し、立体構造体の表面の少なくとも一部と間隙を有してカバー物質を設置してなるシロアリ誘引装置であって、該間隙の少なくとも一部が、１〜３ｍｍの大きさを有することを特徴とするシロアリ誘引装置のことである。
【００１４】
本発明のシロアリ誘殺キットとは、セルロース成分および遅効性シロアリ駆除成分を含有する立体構造体と、該立体構造体の表面の少なくとも一部と間隙を有して設置可能なカバー物質とからなるシロアリ誘殺キットであって、該間隙の少なくとも一部が、１〜３ｍｍの大きさを有することを特徴とするシロアリ誘殺キットのことである。
【００１５】
本発明のシロアリ誘殺装置とは、セルロース成分および遅効性シロアリ駆除成分を含有する立体構造体とカバー物質からなり、該立体構造体に対し、立体構造体の表面の少なくとも一部と間隙を有してカバー物質を設置してなるシロアリ誘殺装置であって、該間隙の少なくとも一部が、１〜３ｍｍの大きさを有することを特徴とするシロアリ誘殺装置のことである。
【００１６】
〔立体構造体〕
本発明に係るセルロースを含有する立体構造体は、例えば、杉、松、桧、スプルース、米松などの木材や紙、木粉、セルロース粉末などのセルロース加工品が挙げられる。これら立体構造体は、木材から直接切り出して調製してもよく、またセルロース加工品を混合、加圧、接着などして調製することもできる。
【００１７】
立体構造体の形状は、特に限定されない。例えば、直方体、立方体、球、楕円などが挙げられる。立体構造体の大きさについては、実用的な容量を考慮すると、１ｍｌから５００ｍｌまでの容量が望ましい。
【００１８】
〔カバー物質〕
本発明に係るカバー物質としては、不織布、紙、ポリエチレン、ポリプロピレン、ポリエチレンテレフタレートなどのプラスチックを用いることができ、必要に応じてこれらを多層状に組み合わせてもよい。
【００１９】
カバー物質の厚みは、０．１ｍｍから１０ｍｍ程度であればよく、より好ましくは０．２ｍｍから５ｍｍである。また、カバー物質の大きさは、シロアリの誘因効果の点から立体構造体の表面積に対し２５％以上である方が好ましい。
【００２０】
カバー物質については、必要に応じて撥水処理加工してもよい。例えば、紙の表面にポリプロピレンの薄いシートでラミネート加工することでカバー物質に撥水性能を付与することができる。
【００２１】
カバー物質は、必要に応じて、不織布、紙などを所定の大きさに切断したり、折り曲げ等によって加工してもよい。
【００２２】
〔遅効性シロアリ駆除成分〕
シロアリを誘殺する場合、遅効性シロアリ駆除成分を、セルロースを含有する立体構造体に塗布等によって含有させる。シロアリ駆除成分としては、幼若ホルモン様活性成分、表皮硬化性活性成分およびキチン合成阻害性活性成分が挙げられ、これらの群より選ばれる少なくとも１種の成分を用いることができる。幼若ホルモン様化合物とは昆虫の幼若ホルモンと似た作用を示すものでピリプロキシフェンが挙げられる。表皮硬化性活性成分とは昆虫の表皮を硬くさせて脱皮させなくするではシロマジンが挙げられる。キチン合成阻害性活性成分とは昆虫のキチン質の合成を阻害することで脱皮を阻害するもので、以下の式に示すような化合物が挙げられる。
式（１）
2019092401.tif 000003
〔式中、Ｒ１はハロゲンまたは水素を表わし、Ｒ２はハロゲンを表わし、Ｘは水素、ハロゲン、アルキル、ハロアルキル、アルコキシまたはハロアルコキシをわし、ｍは１、２または３の数を表わし、Ｘが複数個あるときは、夫々のＸは同一または相異なることができ、Ｙは水素、ハロゲン、アルキル、ハロアルキル、アルコキシまたはハロアルコキシを表わし、ｎは１、２、３または４の数を表わし、Ｙが複数個あるときは、夫々のＹは同一または相異なることができ、Ｒ３は水素、ハロゲン、アルキル、ハロアルキル、アルコキシ、ハロアルコキシ、ハロアルコキシハロアルキルまたはＯ-Ｒを表わし、ここにＲはハロアルキルまたは式（２）
2019092401.tif 000004
の置換されたフェニル基を表わし、ここにＺは水素、ハロゲン、アルキル、ハロアルキル、アルコキシまたはハロアルコキシを表わし、そしてｐは１、２、３または４の数を表わし、Ｚが複数個あるときは、夫々のＺは同一または相異なることができ、Ｒ４はハロゲンまたはハロアルキルを表わし、そしてＱはＣＨまたはＮを表わす。〕で示される化合物。
これら遅効性シロアリ駆除成分のうち、キチン合成阻害性活性成分が好ましく、さら好ましくは、
式（３）
2019092401.tif 000005
〔式中、Ｒ'１はフッ素、塩素または水素を表わし、Ｒ'２はフッ素または塩素を表わし、Ｘ'が水素を表し、ｍ'が３の数を表し、Ｙ'が水素、フッ素、塩素またはＣＦ３を表わし、ｎは１、２、３または４の数を表わし、Ｙ'が複数個あるときは、夫々のＹ'は同一または相異なることができ、Ｒ'３は水素、フッ素、塩素、ＣＦ３または式Ｏ-Ｒ'で示される基を表わし、ここにＲ'は炭素原子１〜３個並びに塩素、フッ素原子１〜７個を有するハロアルキルまたはハロアルコキシハロアルキルを表わすか、あるいは  
Ｒ'は式（４）
2019092401.tif 000006
の置換されたフェニル基を表わし、ここにＺ'は水素、フッ素または塩素を表わし、
ｐは１、２、３または４の数を表わし、ここに置換基Ｚ'が複数個あるときは、夫々のＺ'は同一または相異なることができ、Ｒ'４は炭素原子１〜６個並びにフッ素及び／または塩素原子１〜１３個を有するハロアキルを表わし、そしてＱはＣＨまたはＮを表わす。〕で示される化合物である。
よりさらに好ましくは、上記の式（１）および（２）の化合物の中で、Ｒ１、Ｒ２、Ｒ３、Ｒ４、Ｘ、Ｙ、ｎ、ｍ、ｐ、Ｑ、Ｚがそれぞれ以下に示す組成、数字である化合物〔１〕から〔１０〕であり、化合物〔３〕が特に好ましい。
化合物〔１〕は、式（１）のＲ１はフッ素であり、Ｒ２はフッ素であり、Ｘは水素（ｍ＝３）であり、Ｙは水素（ｎ＝４）であり、Ｒ３は塩素である。
化合物〔２〕は、式（１）のＲ１はフッ素であり、Ｒ２はフッ素であり、Ｘは水素（ｍ＝３）であり、Ｙは水素（ｎ＝１）、フッ素（ｎ＝１）、塩素（ｎ＝２）であり、（２−フッ素、３−塩素、５−塩素）であり、Ｒ３はフッ素である。
化合物〔３〕は、式（１）のＲ１はフッ素であり、Ｒ２はフッ素であり、Ｘは水素（ｍ＝３）であり、Ｙは水素（ｎ＝１）、塩素（ｎ＝１）、ＣＦ３（ｎ＝２）であり、（２−塩素、３−ＣＦ３、５−ＣＦ３）であり、Ｒ３は水素である。
化合物〔４〕は、式（１）のＲ１はフッ素であり、Ｒ２はフッ素であり、Ｘは水素（ｍ＝３）であり、Ｙは水素（ｎ＝２）、塩素（ｎ＝２）であり、（３−塩素、５−塩素）であり、Ｒ３はＯＣＦ２ＣＨＦ２である。
化合物〔５〕は、式（１）のＲ１はフッ素であり、Ｒ２はフッ素であり、Ｘは水素（ｍ＝３）であり、Ｙは水素（ｎ＝２）、塩素（ｎ＝２）であり、（２−塩素、５−塩素）であり、Ｒ３はＯＣＦ２ＣＨＦＣＦ３である。
化合物〔６〕は、式（１）のＲ１はフッ素であり、Ｒ２はフッ素であり、Ｘは水素（ｍ＝３）であり、Ｙは水素（ｎ＝１）、フッ素（ｎ＝１）、塩素（ｎ＝２）であり、（２−フッ素、３−塩素、５−塩素）であり、Ｒ３はＯＣＦ２ＣＨＦＣＦ３である。
化合物〔７〕は、式（１）のＲ１はフッ素であり、Ｒ２はフッ素であり、Ｘは水素（ｍ＝３）であり、Ｙは水素（ｎ＝３）、塩素（ｎ＝１）であり、（３−塩素）であり、Ｒ３はＯＣＦ２ＣＨＦＯＣＦ３である。
化合物〔８〕は、式（１）のＲ１はフッ素であり、Ｒ２はフッ素であり、Ｘは水素（ｍ＝３）であり、Ｙは水素（ｎ＝２）、塩素（ｎ＝２）であり、（３−塩素、５−塩素）であり、Ｒ３はＯーＲであり、Ｒは式（２）の置換されたフェニル基のＺは水素（ｐ＝２）、塩素（ｐ＝１）であり、（３−塩素）であり、Ｒ４はＣＦ３であり、ＱはＮである。
化合物〔９〕は、式（１）のＲ１はフッ素であり、Ｒ２はフッ素であり、Ｘは水素（ｍ＝３）であり、Ｙは水素（ｎ＝３）、フッ素（ｎ＝１）であり、（２−フッ素）であり、Ｒ３はＯ―Ｒであり、Ｒは式（２）の置換されたフェニル基のＺは水素（ｐ＝２）、塩素（ｐ＝１）であり、（２−塩素）であり、Ｒ４はＣＦ３であり、ＱはＣＨである。
化合物〔１０〕は、式（１）のＲ１は水素であり、Ｒ２は塩素であり、Ｘは水素（ｍ＝３）であり、Ｙは水素（ｎ＝４）であり、Ｒ３はＯＣＦ３である。
【００２３】
立体構造体に含有させる遅効性シロアリ駆除成分の含有量については、防除の対象とする害虫に対して防除効果を発揮する量であればよく、セルロース成分を含有する立体構造体の重量に対して０．１重量％から１．０重量％、もしくは該立体構造体の表面積に対して１ｍｇ／１００ｃｍ２から５０ｍｇ／１００ｃｍ２を含有していることが好ましい。
【００２４】
〔シロアリ誘引装置、シロアリ誘殺装置が有する間隙〕
シロアリ誘引装置は、セルロース成分を含有する立体構造体と、該立体構造体の表面の少なくとも一部と間隙を有して設置可能なカバー物質とからなり、該立体構造体に対して、立体構造体の表面の少なくとも一部と間隙を有してカバー物質を設置してなるシロアリ誘引装置であって、該間隙の少なくとも一部が、１〜３ｍｍの大きさを有する。該間隙は、例えば、図１の１ｄ、１ｅ、図２の２ｄ、２ｅ、図３の５ｄに示すようなものが挙げられる。
【００２５】
該間隙は、シロアリを効率的に誘引する点から、立体構造体の表面積に対し２５％以上あることが好ましい。直方形状や立方形状の立体構造体を用いる場合は、立体構造体一つの側面の全面がカバー物質と間隙を有していることが好ましい。
【００２６】
シロアリ誘殺装置の場合も、上記と同様に間隙を設ければよい。
【００２７】
〔添加物〕
本発明の立体構造体には、立体構造体の腐朽を防止するために、例えば、シプロコナゾール，ヘキサコナゾール，テブコナゾール，プロピコナゾール，Ｆ−６９などのアゾール系化合物、ＩＰＢＣなどの有機ヨウ素系化合物などの防腐剤、さらには、カビの発生を防止するため、例えば、ＴＢＺなどのベンゾイミダゾール系，有機ヨウ素系としてＩＦ−１０００やＩＰＢＣなどの有機ヨウ素系化合物，ＴＣＭＴＢなどのベンゾチアゾール系化合物，MBCなどのチオシアネート系化合物などの防カビ剤を適宜必要に応じて１種類または数種類複合して使用することもできる。
【００２８】
〔防除対象〕
本発明の防除対象となる害虫としては、ヤマトシロアリ、イエシロアリ、アメリカカンザイシロアリ、ダイコクシロアリ、タイワンシロアリ、コウシュンシロアリ、サツマシロアリ、ナカジマシロアリ）、カタンシロアリ、コダマシロアリ、クシモトシロアリ、オオシロアリ、コウシュウイエシロアリ、アマミシロアリ、キアシシロアリ、カンモンシロアリ、タカサゴシロアリ等のシロアリ類が挙げられる。
【００２９】
〔誘引・誘殺方法〕
本発明のシロアリ誘引装置またはシロアリ誘殺装置の設置場所としては、シロアリが棲息する、または侵入する可能性のある場所であれば、どこでもよく、例えば、床下の土壌面の表面もしくは土壌中、コンクリート面の表面、庭、花壇、畑などの地表面もしくは地中、建築物の部材の表面、シロアリが構築した蟻道の傍もしくはその表面、シロアリが木材などを加害している箇所もしくはその傍などに設置することができる。本発明のシロアリ誘引装置またはシロアリ誘殺装置を当該場所に設置することにより、効率的なシロアリの誘引、または誘殺が可能となる。
【実施例】
【００３０】
以下に、実施例により本発明を具体的に説明するが、本発明はこれらの実施例によって限定されるものではない。
【００３１】
（シロアリ誘引キット１ａ・誘引装置１）
杉材を加工し、図１に示すセルロース成分を含有する立体構造体１ｂ（幅６５ｍｍ、長さ１００ｍｍ、高さ８ｍｍ）を得た。また、シロアリ誘引装置１が得られるように厚み０．４ｍｍの紙を加工した後、表面をポリプロピレンの被膜で覆い、カバー物質１ｃを得た。２つの立体構造体１ｂとカバー物質１ｃを準備することで、シロアリ誘引キット１ａを得た。また、シロアリ誘引キット１ａを用いて、シロアリ誘引装置１を得た。
図１に示す間隙１ｄ、１ｅは、シロアリ誘引装置が有するとの間隙のことであり、間隙１ｄ、１ｅの大きさは３ｍｍとした。
【００３２】
（シロアリ誘殺キット１０ａ・誘殺装置１０）
杉材を加工し、その表面に遅効性シロアリ駆除成分を塗布（イカリ消毒（株）製、商品名：ムースエイド用添加剤Ｂ（段落〔００１７〕に示すキチン合成阻害性活性成分のうち、化合物〔３〕を有効成分とし、５％重量部含有する水性懸濁剤）を水で５０倍希釈したもの）、乾燥させることで、図１に示す形状のセルロース成分および遅効性シロアリ駆除成分を含有する立体構造体１０ｂ（幅６５ｍｍ、長さ１００ｍｍ、高さ８ｍｍ）を得た。また、２つの立体構造体１０ｂと、カバー物質１ｃと同形状のカバー物質１０ｃを準備し、シロアリ誘殺キット１０ａを得た。さらに、シロアリ誘殺キットを用いて、シロアリ誘殺装置１０を得た。間隙１０ｄ、１０ｅの大きさは３ｍｍとした。
【００３３】
（シロアリ誘引キット２ａ・誘引装置２）
杉材を加工し、図２に示すセルロース成分を含有する立体構造体２ｂ（幅１０ｍｍ、長さ２０ｍｍ、高さ１０ｍｍ）を得た。また、厚み０．４ｍｍの紙（エスケント（株）製、商品名：ニューカラー（青））を加工し、カバー物質２ｃ（幅１５ｍｍ、長さ２０ｍｍ、高さ１０ｍｍ）を得た。これら立体構造体２ｂとカバー物質２ｃを準備することでシロアリ誘引キット２ａを得た。
立体構造体２ｂに対して、立体構造体２ｂの一側面とカバー物質２ｃの内面の間隙２ｄが１ｍｍとなるようにカバー物質を設置し、図２に示すシロアリ誘引装置２を得た。
【００３４】
（シロアリ誘引キット３ａ・誘引装置３）
杉材を加工し、図２に示すセルロース成分を含有する立体構造体３ｂ（幅１６ｍｍ、長さ２０ｍｍ、高さ１０ｍｍ）を得た。また、厚み０．４ｍｍの紙（エスケント（株）製、商品名：ニューカラー（青））を加工し、カバー物質３ｃ（幅１５ｍｍ、長さ２０ｍｍ、高さ１０ｍｍ）を得た。これら立体構造体３ｂとカバー物質３ｃを準備することでシロアリ誘引キット３ａを得た。
立体構造体３ｂに対して、立体構造体３ｂの一側面とカバー物質３ｃの内面の間隙３ｄが２ｍｍとなるようにカバー物質を設置し、図２に示すシロアリ誘引装置３を得た。
【００３５】
（シロアリ誘引キット４ａ・誘引装置４）
杉材を加工し、図２に示すセルロース成分を含有する立体構造体４ｂ（幅１６ｍｍ、長さ２０ｍｍ、高さ１０ｍｍ）を得た。また、厚み０．４ｍｍの紙（エスケント（株）製、商品名：ニューカラー（青））を加工し、カバー物質４ｃ（幅１６ｍｍ、長さ２０ｍｍ、高さ１０ｍｍ）を得た。これら立体構造体４ｂとカバー物質４ｃを準備することでシロアリ誘引キット４ａを得た。
立体構造体４ｂに対して、立体構造体４ｂの一側面とカバー物質４ｃの内面の間隙４ｄが３ｍｍとなるようにカバー物質を設置し、図２に示すシロアリ誘引装置４を得た。
【００３６】
（比較シロアリ誘引装置１）
シロアリ誘引装置２において、カバー物質の形状を幅１０ｍｍ、長さ２０ｍｍ、高さ１０ｍｍとなるように加工し、立体構造体の側面とカバー物質内面の間隙がなくなるようにカバー物質で立体構造体を覆い、比較シロアリ誘引装置１を得た。
【００３７】
（比較シロアリ誘引装置２）
シロアリ誘引装置２において、カバー物質の形状を幅１８ｍｍ、長さ２０ｍｍ、高さ１０ｍｍとなるように加工し、立体構造体の両側面とカバー物質内面の間隙が４ｍｍとなるように調製し、比較シロアリ誘引装置２を得た。
【００３８】
（実施例１）
立体構造体２ｂ，カバー物質２ｃおよびシロアリ誘引装置２をそれぞれ１個準備し、直径９ｃｍのシャーレ内に散在させた。次に、シャーレ内にイエシロアリ職蟻１５頭を放虫し、これらに接触しているイエシロアリ職蟻の頭数を継時的に１時間まで数え、以下の式により相乗指数を求めた。なお、反復は３回とした。各供試材料におけるイエシロアリ職蟻の誘引数を表１に示す。
相乗指数＝（シロアリ誘引装置２の合計平均）／（立体構造体２ｂの合計平均＋カバー物質２ｃの合計平均）×１００
その結果、相乗指数は、２１２となり、明らかに相乗的な誘引効果が認められた。
【００３９】
【表１】
2019092401.tif 000007
【００４０】
（実施例２）
シロアリ誘引装置２、３、４、比較シロアリ誘引装置１、２を準備し、直径９ｃｍのシャーレ内に、散在させた。次に、シャーレ内に供試虫イエシロアリ職蟻５０頭を放虫し、１時間後に、それぞれの杉材に接触している供試虫の数を数えた。反復は３回とした。供試材料におけるイエシロアリ職蟻の誘引数を表１に示す。
【００４１】
【表２】
2019092401.tif 000008
【００４２】
（シロアリ誘引キット５ａ、誘引装置５）
杉材を加工し、図３に示すセルロース成分を含有する立体構造体５ｂ（幅５０ｍｍ、長さ５０ｍｍ、高さ１０ｍｍ）を得た。厚み２ｍｍの紙の部材（エスケント（株）製、商品名：ニューカラー（青））を加工し、の凹型の立方体となるよう加工し、図３のカバー物質５ｃ（幅５４ｍｍ、長さ５４ｍｍ、高さ１０ｍｍ）を得た。これら立体構造体５ｂとカバー物質５ｃを準備することでシロアリ物質キット５ａを得た。
立体構造体５ｂに対して、立体構造体５ｂの全側面とカバー物質５ｃの内面の間隙が１ｍｍとなるようにカバー物質５ｃを設置し、シロアリ誘引装置５を得た
【００４３】
（シロアリ誘殺キット５０ａ、誘殺装置５０）
遅効性シロアリ駆除成分（イカリ消毒（株）製、商品名：ムースエイド用添加剤Ｂ（段落〔００１７〕に示すキチン合成阻害性活性成分のうち、化合物〔３〕を有効成分とし、５％重量部含有する水性懸濁剤））を水で５０倍希釈とし、その希釈液に杉材（幅５０ｍｍ、長さ５０ｍｍ、高さ１０ｍｍ）を１０秒間浸漬させて風乾し、セルロースおよび遅効性シロアリ駆除成分を含有する立体構造体５０ｂを得た。また、立体構造体５０ｂと、カバー物質５ｃと同様の形状のカバー物質５０ｃを準備し、シロアリ誘殺キット５０ａを得た。
立体構造体５０ｂに対して、立体構造体５０ｂの全側面とカバー物質５０ｃの内面の間隙が１ｍｍとなるようにカバー物質５０ｃを設置し、シロアリ誘殺装置５０を得た。
【００４４】
（実施例３）
無色透明のプラスチック容器１００（縦１４ｃｍ×横２２ｃｍ×高さ３．５ｃｍ）内に、幅１１ｃｍ、長さ４０ｃｍのトイレットペーパー１０１（ユニバーサル・ペーパー（株）製、商品名：ハロートイレットシングル・ロング）を、幅３ｃｍ、長さ２０ｃｍ程度に重ねて、水分を含ませ、図４のように配置し、供試虫イエシロアリ職蟻３００頭を容器内に放虫し、１日放置した。次に、立体構造体５ｂ、カバー物質５ｃ、およびシロアリ誘引装置５を、図４のように配置し、１か月後のシロアリの誘因および食害状況を調査した。結果を表３に示す。
【００４５】
【表３】
2019092401.tif 000009
【００４６】
（実施例４）
無色透明のプラスチック容器１００（縦１４ｃｍ×横２２ｃｍ×高さ３．５ｃｍ）の底面に水分を含ませた砂を敷き詰め、長さ約２０ｃｍのトイレットペーパー１０１（ユニバーサル・ペーパー（株）製、商品名：ハロートイレットシングル・ロング）に水を含ませて、丸めたものを餌場として、容器の片隅に配置し、供試虫イエシロアリ職蟻１００頭を容器内に放虫し、１日放置した。
該容器内にシロアリ誘殺装置５０を１セット設置したもの、立体構造体５ｂと立体構造体５０ｂを各々１個散在させたもの、立体構造体５ｂのみを配置したものを各々準備し、４週後に供試虫の死虫率を求めた。反復は２回とした。結果を表４に示す。
【００４７】
【表４】
2019092401.tif 000010
【００４８】
（家屋への配置）
シロアリ誘引装置または誘殺装置２０個を庭付きの一般民家屋の基礎まわり、玄関もしくは犬走りから２０から３０ｃｍ程度離して、約１ｍおきに地表に配置した。
【産業上の利用可能性】
【００４９】
本発明は、シロアリを効率よく誘引し、シロアリを駆除するのに有用なものである。
【符号の説明】
【００５０】
１、２、３、４、５           シロアリ誘引装置
１０、５０                   シロアリ誘殺装置
１ａ、２ａ、３ａ、４ａ、５ａ  シロアリ誘引キット
１０ａ、５０ａ               シロアリ誘殺キット
１ｂ、２ｂ、３ｂ、４ｂ、５ｂ  セルロース成分を含有する立体構造体
１０ｂ、５０ｂ セルロース成分および遅効性シロアリ駆除成分を含有する立体構造体
１ｃ、２ｃ、３ｃ、４ｃ、５ｃ、１０ｃ、５０ｃ カバー物質
１ｄ、１ｅ、２ｄ、２ｅ、３ｄ、３ｅ、
４ｄ、４ｅ、５ｄ、１０ｄ、１０ｅ、５０ｄ      間隙
１００  無色透明のプラスチック容器
１０１  トイレットペーパー
【図１】
2019092401.tif 000011
【図２】
2019092401.tif 000012
【図３】
2019092401.tif 000013
【図４】
2019092401.tif 000014